(57)【特許請求の範囲】
【請求項１】
空気圧縮機で生成した高圧域の圧縮空気を貯めるようにされるとともに、圧縮空気を取り込むための圧縮空気取入口が形成されたタンク本体に高圧域の圧力調整器を介して高圧工具へ接続可能な圧縮空気取出装置を取り付けた補助タンクと、上記タンク本体と共通構造のタンク本体に常圧域の圧力調整器を介して常圧工具へ接続可能な圧縮空気取出装置を取り付けた補助タンクとからなり、一方の補助タンクをプラグを介して上記空気圧縮機に連結し、他方の補助タンクには上記プラグと同一形状のプラグを介して上記一方の補助タンクに連通するように連結するとともに、連結された補助タンクに上記空気圧縮機によって同圧の圧縮空気を供給することを特徴とする補助タンクによる圧縮空気供給システム。
【請求項２】
各補助タンクのタンク本体が、タンク本体の長手方向に沿って形成した２カ所のブラケットに両端が取り付けられたグリップを備えて成り、並列状に並べて配置された補助タンクの隣接したタンク本体のブラケット間に前記グリップの両端を取り付けることによって隣接した補助タンク同士を連結するようにしたことを特徴とする請求項１に記載の補助タンクによる圧縮空気供給システム。
【発明の詳細な説明】
【技術分野】
【０００１】
本発明は、常圧域の圧縮空気圧力で駆動する常圧用工具や、これより高い高圧域の圧縮空気圧力で駆動される高圧用工具の駆動源として、使用する工具や作業内容に応じてこれらの各空気駆動工具へ適切な圧力領域の圧縮空気を供給させることのできる補助タンクによる圧縮空気供給システムに関する。
【背景技術】
【０００２】
現在、作動空気圧力が例えば８ｋｇ／ｃｍ２以下の常圧領域で使用する常圧用と、これより作動圧力領域の高い高圧の圧力領域で使用する高圧用の空気駆動工具が使用されており、これらの工具へ駆動用の圧縮空気を供給する圧縮空気供給システムは、例えば３０ｋｇ／ｃｍ２の高圧域の圧縮空気を生成して空気タンクに貯留させるようにされた空気圧縮機によって構成されている。
【０００３】
高圧用と常圧用の何れの工具へも圧縮空気を供給できるようにした空気圧縮機では、高圧専用の圧縮空気取出装置と常圧専用の圧縮空気取出装置がそれぞれ少なくとも１つずつ設置されており、それぞれの圧縮空気取出装置には空気圧縮機で生成されて空気タンクに溜められた高圧域の圧縮空気を高圧・常圧の各々の圧力領域まで減圧させる圧力調整器と工具側に接続されたホースのプラグが装着されるソケットが設けられている。常圧及び高圧の各専用工具には、常圧工具を高圧の圧縮空気取出装置に接続してしまい常圧工具へ高圧域の圧縮空気が供給されてしまうことがないように、圧縮空気供給源にエアホースを介して接続される工具の後端部に取り付けられているプラグは誤接続を防止するためにそれぞれ専用の形状のものが使用されている。
【発明の開示】
【発明が解決しようとする課題】
【０００４】
しかしながら、従来の補助タンクは、エアホースによって空気圧縮機の空気タンクに接続することにより単に空気タンクの容量を増大させるものであり、工具への駆動用の圧縮空気の供給は空気圧縮機本体の圧縮空気取出装置に接続されたエアホースを介して行われている。このため、作業場所を移動する場合には空気圧縮機本体と補助タンクとを共に移動させなければならず作業性が損なわれてしまう。更に互いに離れた場所で２台の工具を同時に使用する場合には空気圧縮機本体に補助タンクを接続した上で、空気圧縮機本体の圧縮空気取出装置からそれぞれの工具へエアホースを介して圧縮空気を供給する必要があり、各工具での使用圧力を調整する場合には空気圧縮機のところまできて空気圧縮機の圧縮空気取出装置の圧力調整器を操作する必要があり煩わしいものであった。
【０００５】
本発明は上記従来技術での問題点を解決し、空気圧縮機に接続した補助タンクから工具へ圧縮空気を供給できるようにし、使用する工具の種類や作業内容に応じて、適切な圧縮空気の供給を行うことができる補助タンクによる圧縮空気供給システムを提供することを課題する。
【課題を解決するための手段】
【０００６】
本発明の補助タンクによる圧縮空気供給システムは、空気圧縮機で生成した高圧域の圧縮空気を貯めるようにされるとともに、圧縮空気を取り込むための圧縮空気取入口が形成されたタンク本体に高圧域の圧力調整器を介して高圧工具へ接続可能な圧縮空気取出装置を取り付けた補助タンクと、上記タンク本体と共通構造のタンク本体に常圧域の圧力調整器を介して常圧工具へ接続可能な圧縮空気取出装置を取り付けた補助タンクとからなり、一方の補助タンクをプラグを介して上記空気圧縮機に連結し、他方の補助タンクには上記プラグと同一形状のプラグを介して上記一方の補助タンクに連通するように連結するとともに、連結された補助タンクに上記空気圧縮機によって同圧の圧縮空気を供給することを特徴とする。
【０００７】
また、請求項２に係る発明は、請求項１において、各補助タンクのタンク本体が、タンク本体の長手方向に沿って形成した２カ所のブラケットに両端が取り付けられたグリップを備えて成り、並列状に並べて配置された補助タンクの隣接したタンク本体のブラケット間に前記グリップの両端を取り付けることによって隣接した補助タンク同士を連結するようにしたことを特徴とする。
【発明の効果】
【０００８】
本発明によれば、空気圧縮機で生成した高圧域の圧縮空気を貯めるようにされるとともに、圧縮空気を取り込むための圧縮空気取入口が形成されたタンク本体に高圧域の圧力調整器を介して高圧工具へ接続可能な圧縮空気取出装置を取り付けた補助タンクと、上記タンク本体と共通構造のタンク本体に常圧域の圧力調整器を介して常圧工具へ接続可能な圧縮空気取出装置を取り付けた補助タンクとからなり、一方の補助タンクをプラグを介して上記空気圧縮機に連結し、他方の補助タンクには上記プラグと同一形状のプラグを介して上記一方の補助タンクに連通するように連結するとともに、連結された補助タンクに上記空気圧縮機によって同圧の圧縮空気を供給することを特徴とするようにしたから、使用する工具の種類や作業の内容に応じて任意のタンクを組み合わせて、隣接した補助タンク同士を連結させて圧縮空気供給システムを形成することができ、空気圧縮機から離れた作業現場での圧縮空気駆動工具を使用した作業の作業性を向上させることができる。また、各補助タンクの圧縮空気取出装置からそれぞれの工具へエアホースを介して圧縮空気を供給すればよく、各工具での使用圧力を調整する場合には各補助タンクで行えばよい。
【０００９】
更に、請求項２の発明によれば、タンク本体に長手方向に沿って形成したブラケットにグリップを取り付けて構成し、複数の補助タンクを並列状に並べて配置するとともに、前記グリップを隣接したタンク本体のブラケット間に取り付けることによって隣接した補助タンク同士を連結するようにしているので、任意に組み合わせた複数の補助タンクからなる圧縮空気供給システムの運搬や搬送時の取り扱いを容易にすることができる。
【発明を実施するための最良の形態】
【００１０】
以下、図に示す実施例に基づいて本発明の実施の形態を説明する。図１は、高圧専用工具と常圧専用工具を使い分け又は同時使用が行えるように補助タンクを組み合わせした本発明の補助タンクによる圧縮空気供給システムの実施例を示すものである。上記圧縮空気供給システムは、高圧専用の工具へ高圧域の圧縮空気を供給するための圧縮空気取出装置１１が形成された補助タンク１０と、常圧専用の工具へ常圧域の圧縮空気を供給するための圧縮空気取出装置２１が形成された補助タンク２０とから構成されている。なお、圧縮空気取出装置のない補助タンク３０は、本発明のシステムの構成に直接関係はないので、説明は省略する。
【００１１】
図２及び図３に示すように、各補助タンク１０、２０を構成しているタンク本体１は共通の構造とされており、空気圧縮機により生成される例えば３０ｋｇ／ｃｍ２程度までの高圧域の圧縮空気を貯められるように両端が閉鎖された長胴の円筒状に形成されている。該タンク本体１の下面側の隅部には設置脚２を取り付けるためのブラケット３が取り付けられ、該ブラケット３にネジにより取り付けた設置脚２によって補助タンク１０、２０が単独で使用される際に床面等に設置することができる。また各タンク本体１の上面にはグリップ４を取り付けるためのブラケット５がタンク本体の長手方向に沿って２つ形成されており、Ｕ字状に形成されたグリップ４の両端部が各ブラケット５にネジ止めされて取り付けられている。
【００１２】
タンク本体１には空気圧縮機で生成された圧縮空気をエアホースを介してタンク本体１内に導入するための圧縮空気取入口６が形成されており、該圧縮空気取入口６には高圧専用のプラグ７が取り付けられており、空気圧縮機の圧縮空気取出装置に接続されたエアホースに取り付けた高圧専用のソケットを前記プラグ７に装着することにより高圧域の圧縮空気がタンク本体１内へ供給されるようにされている。前記圧縮空気取入口６にはタンク本体１内を他の補助タンクのタンク本体１へ連通させるための接続口８が形成されており、通常時にはこの接続口８はネジ栓８ａによって閉鎖されている。
【００１３】
補助タンク１０及び補助タンク２０には図２及び図３に示すように、圧縮空気で駆動される工具へ所定圧力の圧縮空気を供給するための圧縮空気取出装置１１、２１が形成されている。高圧専用の工具へ高圧域の圧縮空気を供給する補助タンク１０に形成された圧縮空気取出装置１１は、タンク本体１内に貯められている高圧域の圧縮空気を高圧専用工具の駆動圧力に減圧させる圧力調整器１２と、該圧力調整器１２により調整された高圧域の圧縮空気を高圧専用の工具へ供給するための雌型の継ぎ手である高圧専用のソケット１３により構成されている。圧力調整器１２は上方に配置されているダイヤル１４を回転操作することによってタンク本体１の圧縮空気圧力を高圧域の任意の圧力に減圧してソケット１３側に供給する。高圧専用の工具に接続されたエアホースの端に取り付けた高圧専用のプラグを上記ソケット１３に装着することによって補助タンク１０から高圧専用の工具へ駆動用の高圧域の圧縮空気が供給される。なお、１５は圧力調整器１２により調整されてソケット１３から工具へ供給される圧縮空気の圧力値を視認するための圧力計である。
【００１４】
常圧専用の工具へ常圧域の圧縮空気を供給する補助タンク２０に形成されている圧縮空気取出装置２１は、タンク本体１内に貯められている高圧域の圧縮空気を常圧専用工具の駆動圧力に減圧させる圧力調整器２２と、該圧力調整器２２により調整された常圧域の圧縮空気を常圧専用の工具へ供給するための雌型の継ぎ手である常圧専用のソケット２３により構成されている。圧力調整器２２のダイヤル２４を操作することによって常圧域の任意の圧力に減圧された圧縮空気が、ソケット２３に接続されるプラグを介して常圧専用工具へ供給される。圧力調整器２２により減圧された圧縮空気の圧力は圧力計２５によって視認することができる。
【００１５】
更に、各補助タンク１０、２０にはタンク本体１内に溜まったドレンを排出するため先端がタンク本体１の底部に配置されているドレン管３１と該ドレン管３１の端部に形成されている開閉栓３２が設けられており、各補助タンク１０、２０のタンク本体１毎にタンク内に溜まった水分等をタンク本体１の外へ排出できるようにしている。
【００１６】
また、各補助タンク１０、２０がそれぞれ単独で使用されるときには、前記タンク本体１の下面側に形成されている設置脚２を取り付けるためのブラケット３にはそれぞれ設置脚２が取り付けられ、補助タンク１０、２０を独立して作業現場の床面等に設置して置くことができるようにされており、更にタンク本体１の上面に形成されているグリップ４を取り付けるためのブラケット５には逆Ｕ字状に形成されたグリップ４の両端がタンク本体１の長手方向に沿って形成された２つのブラケット５間に取り付けられ、各補助タンク１０、２０毎に容易に運搬できるようにしている。
【００１７】
本発明の補助タンクによる圧縮空気供給システムによれば、高圧専用の圧縮空気取出装置１１を形成した補助タンク１０と常圧専用の圧縮空気取出装置２１を形成した補助タンク２０とを任意に組み合わせて互いに連結して使用することが可能である。例えば図５は、高圧専用の圧縮空気取出装置１１を形成した補助タンク１０と、常圧専用の圧縮空気取出装置２１を形成した補助タンク２０との２つの補助タンクとを組み合わせて連結した例である。各補助タンク１０、２０はタンク本体１が互いに平行となるように並列状態に配置して、隣り合った補助タンク同士のそれぞれのタンク本体１の下面に形成されている設置脚取り付け用のブラケット３の隣接したブラケット３間を連結片３３によって連結するとともに、グリップ４をタンク本体１に対して図１及び図４のように直角方向に向けて配置しグリップ４の両端を隣接したタンク本体１の上面に形成されているグリップ取り付け用のブラケット５間に取り付けることによって隣接した補助タンク同士を並列状態に連結する。
【００１８】
さらに、図２に示す補助タンク１０のタンク本体１に形成されている圧縮空気取入口６のプラグ７を取り付けている面の背面側に形成されている接続口８を閉鎖しているネジ栓８ａを取り外して、該接続口８と隣接した補助タンク２０のタンク本体１の圧縮空気取入口６のプラグ７との間を連通管９によって連結する。これによって、各補助タンク１０、２０のタンク本体１内が連通管９によって連通され、空気圧縮機に接続したエアホースのソケットを補助タンク１０の圧縮空気取入口６のプラグ７に装着することにより、空気圧縮機からの高圧の圧縮空気が連通管９を介して補助タンク１０に供給され、更に補助タンク１０から連通管９を介して補助タンク２０へ圧縮空気が供給される。それぞれの補助タンク１０、２０の圧縮空気取出装置１１、２１に高圧専用の工具３６と常圧専用の工具３７をそれぞれエアホース３５を介して接続して高圧専用工具３６と常圧専用工具３７が離れた場所で使用できるようにすることができる。そのほか、高圧専用の圧縮空気取出装置１１を形成した補助タンク１０か、常圧専用の圧縮空気取出装置２１を形成した補助タンク２０かの何れかの補助タンクを２つ結合して、高圧専用工具３６又は常圧専用工具３７を２台同時使用することもできる。このように、２つのタイプの補助タンクを任意に組み合わせて連結することにより、高圧工具３６や常圧工具３７の駆動条件や作業条件に併せて任意に圧縮空気供給システムを構成することが可能である。
【図面の簡単な説明】
【００１９】
【図１】本発明の補助タンクによる圧縮空気供給システムの一形態を示す斜視図
【図２】圧縮空気取出装置が形成された補助タンクを示す一部縦断側面図
【図３】図２と同じ補助タンクの平面図
【図４】グリップを図１のようにタンク本体に対して直交するように配置した状態を示す断面図
【図５】本発明の補助タンクによる圧縮空気供給システムの使用形態を示すレイアウト図
【符号の説明】
【００２０】
１  タンク本体
２  設置脚
３  ブラケット
４  グリップ
５  ブラケット
６  圧縮空気取入口
７  プラグ
８  接続口
８ａ      ネジ栓
９  連通管
１０、２０  補助タンク
１１、２１  圧縮空気取出装置
１２、２２  圧力調整器
１３、２３  ソケット
１４、２４  ダイヤル
１５、２５  圧力計
３３  連結片
【図１】
0004788686.tif 000002
【図２】
0004788686.tif 000003
【図３】
0004788686.tif 000004
【図４】
0004788686.tif 000005
【図５】
0004788686.tif 000006